(57)【特許請求の範囲】
【請求項１】
投入動作又は遮断動作によって回転するシャフトが備えられた遮断器と、投入状態又は遮断状態の調整のためのハンドルを挿入できるように挿入孔が形成された断路器とを含むリングメインユニットのインターロック装置において、
前記シャフトの回転に連動して回転する回転部材と、
前記回転部材に連結されて前記回転部材の回転により上下移動する上部リンクと、
前記上部リンクに連結されて前記上部リンクの移動により上下移動する下部リンクと、
前記下部リンクの下部に連結されて前記下部リンクの移動により上下移動し、前記遮断器の投入状態では前記断路器の挿入孔を閉鎖して前記遮断器の遮断状態では前記断路器の挿入孔を開放する挿入防止板と、
前記挿入防止板に隣接して配置されて前記挿入防止板の上下移動をガイドするガイド部材と、を含み、
前記ガイド部材は、
前記断路器に連結される連結板と、
前記連結板の側方に延設された延長板と、
前記延長板の下方に延設され、前記挿入防止板の移動をガイドするガイド孔が形成されたガイド板とから構成される、リングメインユニットのインターロック装置。
【請求項２】
前記回転部材は、
前記シャフトの一端に挿入される本体板と、
前記本体板から側方に突出して前記上部リンクの上部が嵌合される嵌合部とから構成される、請求項１に記載のリングメインユニットのインターロック装置。
【請求項３】
前記嵌合部は、
先端には、前記上部リンクが嵌合状態から離脱することを防止する第１密着板が形成され、
前記第１密着板から前記本体板側に離隔した位置には、前記上部リンクが嵌合状態から前記本体板側に移動することを防止する第２密着板が形成される、請求項２に記載のリングメインユニットのインターロック装置。
【請求項４】
前記上部リンクは、
上部が前記回転部材に嵌合される第１垂直板と、
前記第１垂直板から側方に折り曲げられて延設された水平板と、
前記水平板から下方に折り曲げられて延設され、前記下部リンクの上部が連結される第２垂直板とから構成される、請求項１に記載のリングメインユニットのインターロック装置。
【請求項５】
前記下部リンクの上部と前記第２垂直板とに互いに対応する位置に貫通孔が形成され、
締結部材が前記貫通孔を貫通することにより前記下部リンクと前記第２垂直板とが連結される、請求項４に記載のリングメインユニットのインターロック装置。
【請求項６】
前記挿入防止板は、
前記挿入孔の前方に配置される前面板と、
前記前面板の一端から内側に折り曲げられて延設され、前記下部リンクの下部が連結される側面板とから構成される、請求項１に記載のリングメインユニットのインターロック装置。
【請求項７】
前記側面板と前記下部リンクの下部とに互いに対応する位置に貫通孔が形成され、
締結部材が前記貫通孔を貫通することにより前記側面板と前記下部リンクとが連結される、請求項６に記載のリングメインユニットのインターロック装置。
【請求項８】
前記挿入防止板の前面板の上端には上方に突出するように連結部が形成され、
前記連結部には連結孔が形成され、
前記ガイド部材のガイド板の前方には座金が配置され、
連結ピンが前記座金、前記ガイド板のガイド孔及び前記前面板の連結孔を貫通して連結し、前記挿入防止板が前記ガイド部材に密着した状態で前記ガイド孔に沿って移動する、請求項６に記載のリングメインユニットのインターロック装置。
【請求項９】
前記連結ピンの先端には固定ピンが締結される締結孔が形成され、
前記固定ピンが前記締結孔を貫通して前記座金の前方に配置されて前記座金の離脱を防止する、請求項８に記載のリングメインユニットのインターロック装置。
【発明の詳細な説明】
【技術分野】
【０００１】
本発明は、リングメインユニット（RING MAIN UNIT）のインターロック装置に関し、特に、リングメインユニットに備えられた遮断器の状態によってリングメインユニットに備えられた断路器の状態を調整できるようにしたリングメインユニットのインターロック装置に関する。
【背景技術】
【０００２】
一般に、リングメインユニットは、受配電施設から送られた電力を需要家に配電するときに用いる電気系統の監視、制御及び保護のために使用される装置であり、ＳＦ6ガスにより密閉絶縁される構造物内に遮断器、開閉器、接地、導体類などが含まれる集合体で構成される。
【０００３】
このようなリングメインユニットは、遮断器、断路器、負荷開閉器、ヒューズなどを備え、各回路を保護するためにケーブルカバーが着脱される。
【０００４】
図１０は従来のリングメインユニットにおいてカバーが除去された状態を示す正面図であり、図１１は従来のリングメインユニットに備えられた遮断器を示す斜視図であり、図１２は従来のリングメインユニットに備えられた断路器を示す斜視図であり、図１３は従来のリングメインユニットに備えられた断路器を示す正面図であり、図１４は従来のリングメインユニットに備えられた断路器の状態を調整するハンドルを示す斜視図であり、図１５は従来のリングメインユニットの断路器にハンドルが挿入された状態を示す斜視図である。
【０００５】
図１０〜図１４に示すように、従来のリングメインユニット１０は、遮断器１１、断路器１３、負荷開閉器（図示せず）などを備え、遮断器１１とケーブルカバー（図示せず）間及び断路器１３と前記ケーブルカバー間にインターロック装置が備えられていて遮断器１１及び断路器１３が遮断状態の場合にのみ前記ケーブルカバーを分離できるように構成される。
【０００６】
ここで、遮断器１１は、ボタンで開放／投入状態を調整し、断路器１３は、ハンドル２０を断路器１３に形成された挿入孔１３ａに挿入して約１８０゜回転させることで開放／投入状態を調整する。
【発明の概要】
【発明が解決しようとする課題】
【０００７】
しかし、このような従来のリングメインユニット１０においては、遮断器１１と断路器１３間にインターロック装置が備えられていないので、遮断器１１が投入状態の場合も、ハンドル２０を挿入孔１３ａに挿入して回転させることで断路器１３の状態を調整できるという問題があった。
【０００８】
また、遮断器１１の投入状態で負荷開閉機能のない断路器１３を動作させると、リングメインユニット１０に大きな衝撃を与えてリングメインユニット１０が大きく破損するという問題があった。
【０００９】
さらに、遮断器１１の投入状態で断路器１３を動作させると、使用中に事故が発生して人命被害が発生する危険性が大きいという問題があった。
【００１０】
本発明は、このような問題を解決するためになされたものであり、リングメインユニットに備えられた遮断器の状態によってリングメインユニットに備えられた断路器の状態を調整できるようにしたリングメインユニットのインターロック装置を提供することを目的とする。
【課題を解決するための手段】
【００１１】
本発明の上記目的は、投入動作又は遮断動作によって回転するシャフトが備えられた遮断器と、投入状態又は遮断状態の調整のためのハンドルを挿入できるように挿入孔が形成された断路器とを含むリングメインユニットのインターロック装置において、前記シャフトの回転に連動して回転する回転部材と、前記回転部材に連結されて前記回転部材の回転により上下移動する上部リンクと、前記上部リンクに連結されて前記上部リンクの移動により上下移動する下部リンクと、前記下部リンクの下部に連結されて前記下部リンクの移動により上下移動し、前記遮断器の投入状態では前記断路器の挿入孔を閉鎖して前記遮断器の遮断状態では前記断路器の挿入孔を開放する挿入防止板とを含む、リングメインユニットのインターロック装置を提供することにより達成することができる。
【００１２】
また、前記回転部材は、前記シャフトの一端に挿入される本体板と、前記本体板から側方に突出して前記上部リンクの上部が嵌合される嵌合部とから構成されるようにしてもよい。
【００１３】
さらに、前記嵌合部は、先端には、前記上部リンクが嵌合状態から離脱することを防止する第１密着板が形成され、前記第１密着板から前記本体板側に離隔した位置には、前記上部リンクが嵌合状態から前記本体板側に移動することを防止する第２密着板が形成されるようにしてもよい。
【００１４】
さらに、前記上部リンクは、上部が前記回転部材に嵌合される第１垂直板と、前記第１垂直板から側方に折り曲げられて延設された水平板と、前記水平板から下方に折り曲げられて延設され、前記下部リンクの上部が連結される第２垂直板とから構成されるようにしてもよい。
【００１５】
さらに、前記下部リンクの上部と前記第２垂直板とに互いに対応する位置に貫通孔が形成され、締結部材が前記貫通孔を貫通することにより前記下部リンクと前記第２垂直板とが連結されるようにしてもよい。
【００１６】
さらに、前記リングメインユニットのインターロック装置は、前記挿入防止板に隣接して配置されて前記挿入防止板の上下移動をガイドするガイド部材をさらに含むようにしてもよい。
【００１７】
さらに、前記ガイド部材は、前記断路器に連結される連結板と、前記連結板の側方に延設された延長板と、前記延長板の下方に延設され、前記挿入防止板の移動をガイドするガイド孔が形成されたガイド板とから構成されるようにしてもよい。
【００１８】
さらに、前記挿入防止板は、前記挿入孔の前方に配置される前面板と、前記前面板の一端から内側に折り曲げられて延設され、前記下部リンクの下部が連結される側面板とから構成されるようにしてもよい。
【００１９】
さらに、前記側面板と前記下部リンクの下部とに互いに対応する位置に貫通孔が形成され、締結部材が前記貫通孔を貫通することにより前記側面板と前記下部リンクとが連結されるようにしてもよい。
【００２０】
さらに、前記挿入防止板の前面板の上端には上方に突出するように連結部が形成され、前記連結部には連結孔が形成され、前記ガイド部材のガイド板の前方には座金が配置され、連結ピンが前記座金、前記ガイド板のガイド孔及び前記前面板の連結孔を貫通して連結し、前記挿入防止板が前記ガイド部材に密着した状態で前記ガイド孔に沿って移動するようにしてもよい。
【００２１】
さらに、前記連結ピンの先端には固定ピンが締結される締結孔が形成され、前記固定ピンが前記締結孔を貫通して前記座金の前方に配置されて前記座金の離脱を防止するようにしてもよい。
【発明の効果】
【００２２】
本発明によるリングメインユニットのインターロック装置においては、遮断器に備えられたシャフトの回転運動を直線運動に変換して遮断器の投入状態又は遮断状態によって断路器の挿入孔を閉鎖又は開放することにより、遮断器の投入状態では断路器の状態調整が防止されるようにするという効果がある。
【００２３】
また、遮断器の投入状態では断路器の状態調整が防止されるので、遮断器の投入状態で断路器を操作したときに発生するリングメインユニットの破損を防止するという効果がある。
【００２４】
さらに、遮断器の投入状態では断路器の状態調整が防止されるので、遮断器の投入状態での断路器の操作による事故の発生により人命被害が発生することを防止するという効果がある。
【００２５】
さらに、回転部材が嵌合部を含み、嵌合部が第１密着板及び第２密着板を備えるため、上部リンクが嵌合部に嵌合された状態で、第１密着板により嵌合部からの離脱が防止されるだけでなく、第２密着板により内側への移動が防止されるので、嵌合部と上部リンクとの連結が強固になるという効果がある。
【００２６】
さらに、インターロック装置を上部リンク、下部リンク及び挿入防止板から構成し、締結部材で互いに連結することにより、組立や分離が容易になるという効果がある。
【図面の簡単な説明】
【００２７】
【図１】本発明によるリングメインユニットにインターロック装置が備えられた状態を示す斜視図である。
【図２】本発明によるリングメインユニットに備えられたインターロック装置の斜視図である。
【図３】本発明によるリングメインユニットに備えられたインターロック装置の分解斜視図である。
【図４】本発明によるリングメインユニットに備えられたインターロック装置における挿入防止板とガイド部材との連結部を示す分解斜視図である。
【図５】本発明によるリングメインユニットにおける遮断器の開放状態でのインターロック装置を示す斜視図である。
【図６】本発明によるリングメインユニットにおける遮断器の投入状態でのインターロック装置を示す斜視図である。
【図７】本発明によるリングメインユニットの遮断器に備えられたシャフトに回転部材が連結された状態を示す部分拡大図である。
【図８】本発明によるリングメインユニットの回転部材にインターロック装置が連結された状態を示す斜視図である。
【図９】本発明によるリングメインユニットの回転部材に上部リンクが連結された状態を示す部分拡大図である。
【図１０】従来のリングメインユニットにおいてカバーが除去された状態を示す正面図である。
【図１１】従来のリングメインユニットに備えられた遮断器を示す斜視図である。
【図１２】従来のリングメインユニットに備えられた断路器を示す斜視図である。
【図１３】従来のリングメインユニットに備えられた断路器を示す正面図である。
【図１４】従来のリングメインユニットに備えられた断路器の状態を調整するハンドルを示す斜視図である。
【図１５】従来のリングメインユニットの断路器にハンドルが挿入された状態を示す斜視図である。
【発明を実施するための形態】
【００２８】
以下、添付図面を参照して本発明の一実施形態によるリングメインユニットのインターロック装置について詳細に説明する。
【００２９】
図１は本発明によるリングメインユニットにインターロック装置が備えられた状態を示す斜視図であり、図２は本発明によるリングメインユニットに備えられたインターロック装置の斜視図であり、図３は本発明によるリングメインユニットに備えられたインターロック装置の分解斜視図である。
【００３０】
また、図４は本発明によるリングメインユニットに備えられたインターロック装置における挿入防止板とガイド部材との連結部を示す分解斜視図であり、図５は本発明によるリングメインユニットにおける遮断器の開放状態でのインターロック装置を示す斜視図であり、図６は本発明によるリングメインユニットにおける遮断器の投入状態でのインターロック装置を示す斜視図であり、図７は本発明によるリングメインユニットの遮断器に備えられたシャフトに回転部材が連結された状態を示す部分拡大図であり、図８は本発明によるリングメインユニットの回転部材にインターロック装置が連結された状態を示す斜視図であり、図９は本発明によるリングメインユニットの回転部材に上部リンクが連結された状態を示す部分拡大図である。
【００３１】
図１に示すように、本発明によるリングメインユニット１００のインターロック装置１５０は、遮断器１１０と断路器１３０間に配置され、遮断器１１０の投入状態では、断路器１３０に形成された挿入孔１３１を閉鎖することでハンドル（図示せず）による断路器１３０の状態調整を防止する。
【００３２】
また、遮断器１１０の遮断状態では、挿入孔１３１を開放することで前記ハンドルによる断路器１３０の投入状態又は遮断状態への状態調整を可能にする。
【００３３】
図２、図３、図４、図７及び図８に示すように、本発明によるリングメインユニット１００のインターロック装置１５０は、回転部材１８０、上部リンク１５１、下部リンク１５３及び挿入防止板１５５を含む。
【００３４】
回転部材１８０は、遮断器１１０に備えられたシャフト１１１の回転に連動して回転するが、遮断器１１０の投入動作又は遮断動作によって回転するシャフト１１１の回転により回転する。
【００３５】
上部リンク１５１は、上部が回転部材１８０に連結されて回転部材１８０の回転により上下移動する。
【００３６】
ここで、上部リンク１５１は、第１垂直板１５１ａ、水平板１５１ｂ及び第２垂直板１５１ｃを含む。
【００３７】
第１垂直板１５１ａは、上部が回転部材１８０に嵌合されるが、回転部材１８０の嵌合部１８３に第１垂直板１５１ａの上部に形成された上部孔１５１ａ−１が嵌合されることにより第１垂直板１５１ａが回転部材１８０に連結される。
【００３８】
水平板１５１ｂは、第１垂直板１５１ａから側方に折り曲げられて延設され、第２垂直板１５１ｃは、水平板１５１ｂから下方に折り曲げられて延設され、下部リンク１５３の上部が連結される。
【００３９】
下部リンク１５３は、上部リンク１５１の第２垂直板１５１ｃに垂直に連結され、上部リンク１５１の移動により上下移動する。
【００４０】
ここで、下部リンク１５３の上部と第２垂直板１５１ｃとに互いに対応する位置に貫通孔１５３ａ、１５１ｃ−１が形成され、ボルトなどの締結部材１６４が貫通孔１５３ａ、１５１ｃ−１を貫通することにより下部リンク１５３と第２垂直板１５１ｃとが連結される。
【００４１】
挿入防止板１５５は、下部リンク１５３の下部に連結されて断路器１３０の挿入孔１３１付近に配置され、下部リンク１５３の移動により上下移動する。
【００４２】
遮断器１１０の投入状態では、シャフト１１１の回転により回転部材１８０が反時計方向に回転するので、それに連結された上部リンク１５１と下部リンク１５３が上方に移動し、それに伴って挿入防止板１５５も上方に移動して挿入孔１３１を閉鎖する。
【００４３】
また、遮断器１１０の遮断状態では、シャフト１１１の回転により回転部材１８０が時計方向に回転するので、それに連結された上部リンク１５１と下部リンク１５３が下方に移動し、それに伴って挿入防止板１５５も下方に移動して挿入孔１３１を開放し、それにより前記ハンドルを挿入孔１３１に挿入できる状態となる。
【００４４】
一方、図９に示すように、回転部材１８０は、本体板１８１及び嵌合部１８３から構成される。
【００４５】
本体板１８１は、溶接によりシャフト１１１に連結され、嵌合部１８３は、本体板１８１から側方に突出して上部リンク１５１の上部が嵌合される。
【００４６】
ここで、嵌合部１８３は、先端（上部リンク１５１が配置される方向の一側）には、上部リンク１５１が嵌合状態から離脱することを防止する第１密着板１８３ａが形成され、第１密着板１８３ａから本体板１８１側に離隔した位置には、上部リンク１５１が嵌合状態から本体板１８１側に移動することを防止する第２密着板１８３ｂが形成される。
【００４７】
こうすることにより、上部リンク１５１が嵌合部１８３に嵌合された状態で、第１密着板１８３ａにより嵌合部１８３からの離脱が防止され、第２密着板１８３ｂにより本体板１８１側への移動が防止される。
【００４８】
一方、本発明によるリングメインユニット１００のインターロック装置１５０は、挿入防止板１５５に隣接して配置されて挿入防止板１５５の上下移動をガイドするガイド部材１５７をさらに含んでもよい。
【００４９】
ここで、ガイド部材１５７は、連結板１５７ａ、延長板１５７ｂ及びガイド板１５７ｃから構成される。
【００５０】
連結板１５７ａは、断路器１３０に連結され、ガイド部材１５７を断路器１３０に連結された状態にする。
【００５１】
延長板１５７ｂは、連結板１５７ａの側方に延設され、ガイド板１５７ｃが挿入孔１３１の前方で移動できるようにする。
【００５２】
ガイド板１５７ｃは、延長板１５７ｂの下方に延設され、挿入防止板１５５の移動をガイドするガイド孔１５７ｃ−１が形成されている。
【００５３】
また、挿入防止板１５５は、前面板１５５ａ及び側面板１５５ｂから構成される。
【００５４】
前面板１５５ａは、遮断器１１０の状態によって挿入孔１３１の前方で上下移動することで挿入孔１３１を閉鎖又は開放する。
【００５５】
側面板１５５ｂは、前面板１５５ａの一端から内側に折り曲げられて延設され、下部リンク１５３の下部が連結され、下部リンク１５３の移動により移動することで前面板１５５ａが挿入孔１３１を閉鎖又は開放するようにする。
【００５６】
ここで、側面板１５５ｂと下部リンク１５３の下部とに互いに対応する位置に貫通孔（図示せず）が形成され、ボルトなどの締結部材１６５が前記貫通孔を貫通することにより側面板１５５ｂと下部リンク１５３とが連結される。
【００５７】
また、前面板１５５ａの上端には上方に突出するように連結部１５５ａ−１が形成され、連結部１５５ａ−１には連結孔１５５ａ−２が形成され、ガイド板１５７ｃの前方には座金１６１が配置される。
【００５８】
ここで、連結ピン１６２が座金１６１、ガイド孔１５７ｃ−１及び連結孔１５５ａ−２を貫通して配置され、挿入防止板１５５がガイド部材１５７に密着した状態でガイド孔１５７ｃ−１に沿って上下移動するようになっている。
【００５９】
また、連結ピン１６２の先端には固定ピン１６３が締結される締結孔（図示せず）が形成されるが、座金１６１が挿入防止板１５５の先端に密着した状態で固定ピン１６３が前記締結孔を貫通することにより、挿入防止板１５５と固定ピン１６３間に座金１６１が固定されて配置される。
【００６０】
以下、添付図面を参照して本発明の一実施形態によるリングメインユニットのインターロック装置の動作について詳細に説明する。
【００６１】
まず、遮断器１１０を動作させて遮断状態にすると、遮断器１１０に備えられたシャフト１１１が回転して回転部材１８０を時計方向に回転させる。
【００６２】
回転部材１８０が時計方向に回転すると、回転部材１８０に連結された上部リンク１５１が下方に移動して回転部材１８０の回転運動が直線運動に変換され、それに伴って上部リンク１５１に連結された下部リンク１５３も下方に移動する。
【００６３】
また、下部リンク１５３に連結された挿入防止板１５５も下方に移動し、図５に示すように挿入防止板１５５が挿入孔１３１を開放状態にする。
【００６４】
挿入孔１３１が開放状態になると、使用者はハンドルを挿入孔１３１に挿入して回転させることで断路器１３０の状態を調整できるようになる。
【００６５】
そして、遮断器１１０を動作させて投入状態にすると、遮断器１１０に備えられたシャフト１１１が回転して回転部材１８０を反時計方向に回転させる。
【００６６】
回転部材１８０が反時計方向に回転すると、回転部材１８０に連結された上部リンク１５１、上部リンク１５１に連結された下部リンク１５３、及び下部リンク１５３に連結された挿入防止板１５５が共に上方に移動する。
【００６７】
挿入防止板１５５が上方に移動すると、図６に示すように、挿入防止板１５５により挿入孔１３１が閉鎖されてハンドルを挿入孔１３１に挿入できない状態となるので、遮断器１１０の投入状態では断路器１３０の状態調整が防止される。
【００６８】
前述したように構成されて動作する本発明によるリングメインユニット１００のインターロック装置１５０においては、遮断器１１０に備えられたシャフト１１１の回転運動を直線運動に変換して遮断器１１０の投入状態又は遮断状態によって断路器１３０の挿入孔１３１を閉鎖又は開放することにより、遮断器１１０の投入状態では断路器１３０の状態調整が防止されるようにする。
【００６９】
また、遮断器１１０の投入状態では断路器１３０の状態調整が防止されるので、遮断器１１０の投入状態で断路器１３０を操作したときに発生するリングメインユニット１００の破損を防止する。
【００７０】
さらに、遮断器１１０の投入状態では断路器１３０の状態調整が防止されるので、遮断器１１０の投入状態での断路器１３０の操作による事故の発生により人命被害が発生することを防止する。
【００７１】
さらに、回転部材１８０が嵌合部１８３を含み、嵌合部１８３が第１密着板１８３ａ及び第２密着板１８３ｂを備えるようにすることにより、上部リンク１５１が嵌合部１８３に嵌合された状態で、第１密着板１８３ａにより嵌合部１８３からの離脱が防止されるだけでなく、第２密着板１８３ｂにより内側への移動が防止されるので、嵌合部１８３と上部リンク１５１との連結が強固になる。
【００７２】
さらに、インターロック装置１５０を上部リンク１５１、下部リンク１５３及び挿入防止板１５５から構成し、締結部材１６４、１６５で互いに連結することにより、インターロック装置１５０の組立や分離が容易になる。
【００７３】
以上、本発明の好ましい一実施形態について説明したが、本発明は、様々な変化、変更及び均等物を用いることができ、上記実施形態を適切に変形して同様に応用できることは明らかである。よって、上記記載内容は特許請求の範囲により定義される本発明の範囲を限定するものではない。
【符号の説明】
【００７４】
１００  リングメインユニット
１１０  遮断器
１１１  シャフト
１３０  断路器
１３１  挿入孔
１５０  インターロック装置
１５１  上部リンク
１５１ａ  第１垂直板
１５１ｂ  水平板
１５１ｃ  第２垂直板
１５１ｃ−１  貫通孔
１５３  下部リンク
１５３ａ  貫通孔
１５５  挿入防止板
１５５ａ  前面板
１５５ａ−１  連結部
１５５ａ−２  連結孔
１５５ｂ  側面板
１５７  ガイド部材
１５７ａ  連結板
１５７ｂ  延長板
１５７ｃ  ガイド板
１５７ｃ−１  ガイド孔
１６１  座金
１６２  連結ピン
１６３  固定ピン
１６４、１６５  締結部材
１８０  回転部材
１８１  本体板
１８３  嵌合部
１８３ａ  第１密着板
１８３ｂ  第２密着板
【図１】
0006334660.tif 000002
【図２】
0006334660.tif 000003
【図３】
0006334660.tif 000004
【図４】
0006334660.tif 000005
【図５】
0006334660.tif 000006
【図６】
0006334660.tif 000007
【図７】
0006334660.tif 000008
【図８】
0006334660.tif 000009
【図９】
0006334660.tif 000010
【図１０】
0006334660.tif 000011
【図１１】
0006334660.tif 000012
【図１２】
0006334660.tif 000013
【図１３】
0006334660.tif 000014
【図１４】
0006334660.tif 000015
【図１５】
0006334660.tif 000016